(57)【特許請求の範囲】
【請求項１】
側壁状の第１及び第２のリップ２２、４２及び２３、４３と、両リップ２２、４２及び２３、４３を連結するブリッジ２４、４４と、該ブリッジ２４、４４より突出する第１のリップ後端より内向きに突設される第１の爪片２８、４７と、前記ブリッジ２４、４４より突出する第２のリップ後端より内向きに突設され、ブリッジ２４、４４を屈折させながら目地に装填したとき、前記第１の爪片上に被さる第２の爪片２９、４８とよりなる止水材において、前記第２のリップ４３は第１のリップ４２に対し、先端側が拡開するように傾斜し、かつ第２のリップ先端は第１のリップ先端より後退することを特徴とする止水材。
【請求項２】
横目地に装填され、前記第２の爪片２９、４８が上位に位置する第２のリップ端より下向きに延び、下位に位置する第１のリップ端より上向きに突出する第１の爪片２８、４７に外側より被さることを特徴とする請求項１記載の止水材。
【請求項３】
前記第２の爪片２９、４８が第１の爪片２８、４７より目地幅方向に長く形成されることを特徴とする請求項１又は２記載の止水材。
【請求項４】
前記第１及び第２のリップ２２及び２３には、それぞれ目地底を向く先端に外向きに反る爪部２５、２６が形成されることを特徴とする請求項１ないし３のいずれかの請求項に記載の止水材。
【請求項５】
前記第１及び第２のリップ４２及び４３には、それぞれ前記第１及び第２の爪片４７及び４８に向かって外向きに反る突片４６が形成されることを特徴とする請求項１ないし３のいずれかの請求項に記載の止水材。
【請求項６】
前記第１及び第２のリップ２２、４２及び２３、４３のうち、少なくとも一方のリップに補強用の芯材２７、５１が埋設されることを特徴とする請求項１ないし５のいずれかの請求項に記載の止水材。
【発明の詳細な説明】
【技術分野】
【０００１】
本発明は、建物外壁の目地に装填される止水材に関する。
本明細書において、先端又は先とは止水材を目地へ挿入する方向の端又はその方向であり、後端又は後とはその反対の端又は方向を示す。
【背景技術】
【０００２】
この種の止水材は、多くの場合、芯部と、芯部の両側より側方に突設される複数のリップよりなっている。図１は、その一つの例を示すもので、この止水材１は芯材２を埋設した芯部３と、芯部３の両側より側方に突設される複数のリップ４ａ、４ｂ、４ｃと、表層側のリップ４ａとその下側のリップ４ｂを連結するブリッジ５よりなっている。
【０００３】
図２は、図１に示す止水材１を目地６に装填した状態を示すもので、目地幅のバラつきにより、目地幅は狭くなると、リップ４ａが根本から屈曲してＵ形状に凹んだ形態をなし、これにより目地６が暗く見えたり、また目地底に下地材を止着するビス等があると、該ビス等に干渉して止水材が目地６に納まらないことがある。
【０００４】
下記特許文献１には前者の問題を解決するため、芯部と、芯部の両側より側方に突設される複数のリップと、上下のリップを連結するブリッジとよりなる止水材において、表層側のリップの先端に互いに向き合う蓋片を設け、目地に装填したとき、両側の蓋片がほぼ平坦に重なり合って凹んだ形態をなさないようにしたものが開示されている。
【０００５】
また特許文献２には、図３に示すようにベース部７と、該ベース部７の中央部より下方に膨出形成される中実部８と、該中実部８より下方に二又状に分岐される垂下部９と、垂下部下端より外方向に延設されるテーパ部１１と、該テーパ部１１とベース部７を斜めに連結する連結部１２よりなる止水材１３が開示されている。
【先行技術文献】
【特許文献】
【０００６】
【特許文献１】特開２００７−１６４０７号公報
【特許文献２】実願昭５７−１８０２９５号（実開昭５９−８４１１５号）のマイクロフィルム
【発明の概要】
【発明が解決しようとする課題】
【０００７】
本発明は、構造が簡単で、目地への装填が容易であり、しかも目地底にビス等があっても干渉しないで装填することができると共に、目地幅のバラ付きの如何にかかわらず、目地を平坦に塞ぐことができる止水材を提供することを目的とする。
【課題を解決するための手段】
【０００８】
請求項１に係わる発明の止水材は、側壁状の第１及び第２のリップと、両リップを連結するブリッジと、該ブリッジより突出する第１のリップ後端より内向きに突設される第１の爪片と、前記ブリッジより突出する第２のリップ後端より内向きに突設され、ブリッジを屈折させながら目地に装填したとき、前記第１の爪片上に被さる第２の爪片とよりなる止水材において、前記第２のリップは第１のリップに対し、先端側が拡開するように傾斜し、かつ第２のリップ先端は第１のリップ先端より後退する。
【００１０】
請求項２に係わる発明は、請求項１の発明の止水材が横目地に装填され、前記第２の爪片が上位に位置する第２のリップ端より下向きに延び、下位に位置する第１のリップ端より上向きに突出する第１の爪片に外側より被さることを特徴とし、
請求項３に係わる発明は、請求項１又は２の発明の止水材において、前記第２の爪片が第１の爪片より目地幅方向に長く形成されることを特徴とする。
【００１１】
請求項４に係わる発明は、請求項１ないし３のいずれかの発明の止水材において、前記第１及び第２のリップには、それぞれ目地底を向く先端に外向きに反る爪部が形成されることを特徴とし、
請求項５に係わる発明は、請求項１ないし３のいずれかの発明の止水材において、前記第１及び第２のリップには、それぞれ前記第１及び第２の爪片に向かって外向きに反る突片が形成されることを特徴とする。
【００１２】
請求項６に係わる発明は、請求項１ないし４のいずれかの発明の止水材において、前記第１及び第２のリップのうち、少なくとも一方のリップに補強用の芯材が埋設されることを特徴とする．
【発明の効果】
【００１３】
請求項１に係わる発明の止水材によると、第１及び第２のリップと、両リップを連結するブリッジと、第１及び第２のリップ後端より突設される爪片よりなるだけであるから構成が簡単であること、目地装填時、目地幅にバラ付きがあっても、第２の爪片は図１に示す従来のリップ４ａのように、目地側面に当たって屈曲し、目地への保持機能を有する必要がないから、目地側面に当たって凹状に撓むことがないか、目地側面に当たるにしても撓むことがほとんどなく、そのため目地を平坦に塞ぐことができること、目地への装填は第１のリップを始めに目地に挿入し、仮挿入したのち、第２のリップを目地に押し込むことにより行われ、長尺の止水材を目地に装填するのが簡便に行え、目地装填後は、リップ先端が拡開することにより抜け止めされること、等の効果を有する。
【００１６】
請求項２に係わる発明の目地材によると、第２の爪片が第１の爪片に被さり、第１の爪片との間に段差ができたとしても、該段差は第２の爪片の下端面と第１の爪片とで形成されるため、段に埃が溜りにくく、埃がたまって汚れることにより見映えを損なう、といった問題を生ずることがない。
【００１７】
請求項３に係わる発明の止水材によると、第１の爪片と、該爪片に被さる第２の爪片との間に段差ができないか、段差ができるとしても目地の一方の側に偏るため、段差が目立ちにくくなる。とくに横目地に装填した止水材の場合、段差が目地の下部に位置してより目立ちにくくなる。
【００１８】
請求項４に係わる発明の止水材によると、目地装填時、爪部が目地側面に弾接し、抜け止め機能を果すようになる。
請求項５に係わる発明の止水材によると、目地装填時、突片が目地側面に弾接することにより抜け止め機能を果すと共に、止水機能を果たすようになる。
請求項６に係わる発明の止水材によると、リップが芯材によって補強されるため、止水材を目地へ押込んで挿入する際、リップが変形しにくく、直線性が出て目地挿入が容易に行える。
【図面の簡単な説明】
【００１９】
【図１】従来の止水材の断面図。
【図２】図１に示す止水材を目地に充填した状態を示す断面図。
【図３】従来の止水材の別の例の断面図。
【図４】本発明に係わる止水材（第１実施例）の断面図。
【図５】比較的広幅の横目地に図４に示す止水材を装填した状態を示す断面図。
【図６】比較的狭幅の横目時に図４に示す止水材を装填した状態を示す断面図。
【図７】本発明に係わる別の実施形態（第２実施例）の止水材の断面図。
【図８】図７に示す止水材を横目地に装填した状態を示す断面図。
【発明を実施するための形態】
【００２０】
以下、本発明の実施形態の止水材について図面により説明する。
図４に示す止水材２１は、ゴム又は樹脂製で、側壁状の第１のリップ２２及び第２のリップ２３と、両リップ２２及び２３を先細りの断面逆ハの字形に連結し、中間部で先方に向かって屈折するブリッジ２４とよりなって、全体が左右非対称の先細りの形態をなし、リップ２２、２３先端間の間隔は目地幅より狭いか、又は若干広い程度であり、中間部より上位に位置する部分間の間隔は目地幅より広く形成されている。ここで、前記ブリッジ２４と前記第１及び第２のリップ２２及び２３との連結角度はお互いにほぼ等しくなっている。
【００２１】
目地幅より広い部分は、目地幅のバラ付きによって異なるが、目地幅が最大にバラ付いた場合でも、ブリッジより突出し、リップ先端と反対側のリップ後端間の間隔は、最大のバラ付き幅より大に形成されている。そして第１及び第２のリップ２２及び２３は、各先端に外向きに反る爪部２５、２６を備え、またブリッジ２４より突出する第１のリップ２２後端には上斜め内向きに突出する厚肉で、かつ目地幅方向に短い第１の爪片２８が形成される一方、ブリッジ２４より突出する第２のリップ２３後端には、上斜め内向きに突出する薄肉で、かつ目地幅方向に長い第２の爪片２９が前記第１の爪片２８と互いに向き合うようにして形成され、第２の爪片２９は第１の爪片２８よりブリッジ２４からの突出量が大で、後方に位置し、かつリップ後端を両側より押え込んでブリッジ２４を図４の下向き（先向き）に屈折させながら窄めたとき、第２の爪片２９が第１の爪片２８上に被さるようにしてある。
【００２２】
なお、図４に示す止水材２１は、ブリッジ２４が中間部で下向きに屈折する形態、すなわち逆「へ」の字形になっているが、上向きに屈折する形態、すなわち「へ」の字形をなしていてもよい。しかし、下向きに屈折する形態の方が目地への挿入時、ブリッジが目地底（先）に向かって屈折ないし屈曲し易くなり、爪片が重なり合うのに支障を生ずることがなく好ましい。
【００２３】
上述する各リップ２２及び２３にはまた、それぞれリップ２２、２３補強のため、例えば硬質プラスチックス又は金属製（鋼製）の芯材２７がリップ２２、２３に沿わせて埋設されている。この芯材２７は補強用で、設けなくてもよいし、いずれか一方のリップにのみ設けてもよい。いずれか一方のリップに設け、横目地に挿入する場合には、挿入性を考えると、下側に配置されるリップに設けるのが形状保持性によい。また装着後のことを考えると、上側に配置されるリップに設ける方が外観性がよい。
【００２４】
図中、３１は第１の爪片２８の表面に一体形成されるカラー材であり、３２は第２の爪片２７の表面に一体形成されるカラー材である。
【００２５】
本実施形態の止水材２１は、以上のように構成され、図５及び図６に示す横目地３４への取付けは次のようにして行う。
爪部２５、２６を室外から横目地３４に同時に挿入し、第１の爪片２８及び又は第２の爪片２９を人手により又は治具を使用して長さ方向に順次押し込み、長尺な止水材の全長を横目地３４に押込む。押込みに伴いブリッジ２４が深く屈折しながらリップ端が窄められ、これに伴い上側に位置する第２の爪片２９が下側に位置する第１の爪片２８に外側より被さると共に、目地底に下地材を止着するビス等３６があってもリップ先端が拡開して屈折したブリッジ２４の屈折端との間に形成される凹所内に納まり、目地材の装填に支障をきたすことがないうえ、爪部２５、２６が目地側面に係合し、弾接することにより抜け止め機能を果たすようになる。また第２の爪片２９が第１の爪片２８に被さり、第１の爪片２８との間に段差ができても、該段差は第２の爪片２９の下端面と第１の爪片２８とで形成されるため、段に埃が溜りにくく、埃がたまって汚れることにより見映えを損なう、といった問題を生ずることもない。
【００２６】
図５及び図６は目地幅がバラついた場合の第１実施例の止水材２１の装填状態を示すもので、目地幅が比較的広い図５に示す場合、第１の爪片２８に被さる第２の爪片２９は目地下部において第１の爪片２８と段差を生じるが、この段差は目地中央にあるよりも比較的目立ちにくい。目地幅が比較的狭い図６に示す場合、第２の爪片２９は目地全体を覆い、第１の爪片２８との段差がなくなっている。また、目地挿入前において、ブリッジ２４と第１及び第２のリップ２２及び２３との連結角度がお互いにほぼ等しいため、挿入後に目地両側面に均等に弾接し、安定した姿勢と止水性を保つことが出来る。
【００２７】
図７に示す第２実施例の止水材４１は、前記止水材２１と同様、ゴム又は樹脂製で、側壁状の第１のリップ４２及び第２のリップ４３と、図７において右（先）方向に突出して凸状となるように屈曲し、両リップ４２及び４３を連結するブリッジ４４よりなり、リップ４３はリップ４２に対し、先端側が拡開するように傾斜して両リップ４２、４３が先端に向かって拡開した断面横向きのハの字形になると共に、リップ４３先端がリップ４２先端より後退し、目地幅が最大にバラ付く目地に対しても、両リップ４２、４３の先端間の間隔が目地幅より広く形成され、非対称となっている。ここで、前記ブリッジ４４と前記第１及び第２のリップ４２及び４３との連結角度は、前記実施形態と同様、お互いにほぼ等しくなっている。
【００２８】
各リップ４２及び４３は各々外側に、後述の爪片側に向かって外向きに反る一対の突片４６を図７の左右方向に適宜の間隔を存して突設し、またブリッジ４４より突出する第１のリップ４２後端には、目地幅方向に短い第１の爪片４７が内向きに突出して形成される一方、ブリッジ４４より突出する第２のリップ４３後端には、目地幅方向に長い第２の爪片４８が内向きに突出して形成されている。
【００２９】
上述する第１のリップ４２にはまた、該リップ４２を補強するため、例えば硬質プラスチックス又は金属製（鋼製）の芯材５１がリップ４２に沿わせて埋設されている。この芯材５１は、両リップ４２、４３のいずれに設けてもよいし,いずれのリップにも設けなくてよいが、いずれか一方のリップに設ける場合には、前述の芯材２７と同様、止水材４１を横目地に挿入する際には、挿入性を考慮すると、下側に配置されるリップに設けるのが望ましく、装填後のことを考えると、上側に配置されるリップに設けるのが外観上好ましい。
【００３０】
第２実施例の止水材４１の横目地４９への取付けは次のようにして行う。
先ず長尺の止水材の第１のリップ４２を室外から目地４９へ止水材４１の全長にわたって装入する。この際、ブリッジ４４が目地底（先）に向かい突出するように屈曲し（屈曲が目地底に向かって行われることによりブリッジ４４が爪片４７、４８の重なり合いに支障を生ずることはない）、第２のリップ４３が目地４９の外にはみ出た状態となるが、第１のリップ４２を挿入することにより仮挿入した安定状態を保つことが可能になる。安定状態を保つ理由の１つとしては、第１のリップ４２に止水材を形成するゴム又は樹脂よりも比重の高い芯材（例えば金属製）を使用することで第１のリップ４２の重量が第２のリップ４３の重量よりも重くなることが挙げられる。
【００３１】
止水材４１を以上のようにして仮挿入したのち、第２のリップ４３を人手により又は治具を使用して止水材４１の長さ方向に順次押込み、第２の爪片４８が第１の爪片４７に外側より被さり、かつ目地４９の大部分又はほぼ全部を塞いで全長において図８の状態に装着する。目地４９への装着状態において両側の各突片４６は、図８に示すように屈折して目地側面に係合し、弾接することで抜け止め機能を果し、また止水性にも優れるようになる。また、目地挿入前において、ブリッジ４４と第１及び第２のリップ４２及び４３との連結角度がお互いにほぼ等しいため、挿入後に目地両側面に均等に弾接し、安定した姿勢と止水性を保つことが出来る。
【００３２】
第２実施例は第１実施例と比較して目地４９への取付けに仮挿入ができることから作業が簡便に行えるようになる。
【００３３】
図中、５３は第１の爪片４７の表面に一体形成されるカラー材であり、５４は第２の爪片４８の表面に一体形成されるカラー材である。
【００３４】
なお、第２の爪片４８と第１の爪片４７との間に段差ができても、該段差は第２の爪片４８の下端と第１の爪片４７とで形成されるため、段差に埃が溜りにくく、埃がたまって汚れることにより見映えを損なう、といった問題を生ずることもない。
【００３５】
前記各実施形態では、止水材２１、４１を横目地に装填した例について示したが、縦目地についても同様にして装填することができる。
【符号の説明】
【００３６】
２１、４１・・止水材
２２、４２・・第１のリップ
２３、４３・・第２のリップ
２４、４４・・ブリッジ
２５、２６・・爪部
２７、５１・・芯材
２８、４７・・第１の爪片
２９、４８・・第２の爪片
３１、３２、５３、５４・・カラー材
３４、４９・・目地
３６・・ビス等
４６・・突片
【図１】
0005575568.tif 000002
【図２】
0005575568.tif 000003
【図３】
0005575568.tif 000004
【図４】
0005575568.tif 000005
【図５】
0005575568.tif 000006
【図６】
0005575568.tif 000007
【図７】
0005575568.tif 000008
【図８】
0005575568.tif 000009